(57)【要約】      （修正有）【課題】作業者は身体のバランスを保って作業ができ、かつ、設置・撤収が容易にでき、製造コストが安い用具を提供する。【解決手段】引っ掛け鉤Ｃを棟Ｉに引っ掛け固定し、ロープＢを伸ばしきった場所に、水平に踏みならした雪Ｊの上に踏み板Ａを置くことで設置ができ、踏み板Ａは体重によって真下、踏みならされた雪面に垂直方向に重力がかかり、又、ロープＢによって棟Ｉ方向に引っ張られているため滑り落ちることなく水平な足場を提供することができる。よって、作業者は体のバランスを保って作業ができ、能率が上がり、身体的負担も少ない。又、簡単な構造のため、設置の手間と時間がかからず、製造コストが安い。【選択図】図１
0003218243.tif 000002
【実用新案登録請求の範囲】
【請求項１】
引っ掛け鉤（Ｃ）をそなえたロープ（Ｂ）によって、１枚又は複数枚の踏み板（Ａ）が棟（Ｉ）に連結される構成を特徴とする雪おろし用具
【請求項２】
前記踏み板（Ａ）の前記棟（Ｉ）側に雪面と反対方向の、上方垂直に壁板（Ｅ）を接合した請求項１記載の雪おろし用具
【請求項３】
前記踏み板（Ａ）の軒側に、前記踏み板（Ａ）の下部雪面側に支え板（Ｆ）を接合した請求項１または請求項２記載の雪おろし用具
【請求項４】
前記踏み板（Ａ）に取りつけた前記ロープ（Ｂ）の先端にカラビナ（ａ）を取り付けるとともに、前記引っ掛け鉤（Ｃ）を取りつけた前記ロープ（Ｂ）の中間に複数の丸環（ｂ・ｃ・ｄ）を取り付け、前記踏み板（Ａ）側のカラナビ（ａ）を前記ロープ（Ｂ）の丸環（ｂ・ｃ・ｄ）に接続することで前記踏み板（Ａ）の上下方向の調整を可能にした請求項１または請求項２または請求項３記載の雪おろし用具
【請求項５】
前記ロープ（Ｂ）に取りつけた前記丸環（ｂ・ｃ・ｄ）に、引き綱（Ｄ）に取りつけたカラナビ（ｅ）を接続することで、安全帯（Ｈ）がロープ（Ｂ）と連結する請求項１または請求項２または請求項３または請求項４記載の雪おろし用具
【請求項６】
前記踏み板（Ａ）の下部に前記ロープ（Ｂ）のストッパー（Ｇ）を取りつけて踏み板（Ａ）の位置調整を可能にした請求項１または請求項２または請求項３記載の雪おろし用具
【請求項７】
前記ロープ（Ｂ）の替りに長さ調整が可能なトライグライト（登録商標）などのベルトを有する請求項１〜６までのいずれかの項記載の雪おろし用具
【請求項８】
棟（Ｉ）に引っ掛ける鉤（Ｃ）をそなえたロープ（Ｂ）にとりつけた丸環（ｂ・ｃ・ｄ）に、引き綱（Ｄ）の端にとりつけたカラナビ（ｅ）を結合することで、ロープ（Ｂ）と連結できるようにした安全帯（Ｈ）をそなえた雪おろし用具
【考案の詳細な説明】
【技術分野】
【０００１】本考案は、屋根の雪おろしにおいて、作業者の身体のバランスと安全を保つ用具に関するものである。
【背景技術】
【０００２】雪おろしは、足場の不安定な傾斜面上の作業のため、梯子をかけて落下防止の工夫がなされているものが知られている。
【先行技術文献】
【特許文献】
【０００３】
【特許文献１】特開２００８−６９５９２
【考案の概要】
【考案が解決しようとする課題】
【０００４】  従来の屋根上での雪おろし装置及び用具は、作業は傾斜面上で無理な体勢のまま行なわれ、身体に加重な負担がかかり能率が上らず、腰痛などを引きおこす原因にもなるという問題がある。又、装置・用具の設置・撤収に手間・時間がかかり、機材の経済的負担が大きいという問題がある。【０００５】  本考案は、作業者は身体のバランスを保って作業ができ、かつ、設置・撤収が容易にでき、製造コストが安い用具を提供することを目的とする。
【問題を解決するための手段】
【０００６】  踏み板の位置を確保するため、踏み板の軒側の辺の両端に２本のロープを結びつけ、そのロープの他方の一端それぞれに棟に引っ掛け止める鉤を取りつけて、２本のロープで踏み板と棟を連結させる構成とする。
【０００７】  その設置は、二つの鉤を屋根の棟に引っ掛け止め、ロープを伸ばしきった場所の踏みならした雪の上に踏み板を水平に置いて設ける。
【０００８】  踏み板は、作業者が乗ることによって体重がかかり、又、２本のロープで棟方向に引っ張られる構成になっているため滑り落ちることなく、水平な足場を供する。
【０００９】  複数の踏み板を同じようにロープに結びつけると階段状の水平な足場を供する
【考案の効果】
【００１０】  上述のように、本考案の雪おろし踏み板は、作業者が水平な踏み板上で身体のバランスを保って作業ができ、作業能率が上がり、無理な姿勢からくる腰痛・ひざ痛を防ぐ効果がある。又、用具の構造が簡単なため、設置・撤収が容易にでき、製造コストを低くおさえることができる。
【図面の簡単な説明】
【００１１】
【図１】本考案の使用状態の一例を示す断面図である。
【図２】本考案の斜視図である。
【図３】ロープストッパー（Ｇ）取り付け断面図である。
【考案を実施するための形態】
【００１２】  踏み板の位置を確保するため、踏み板の軒側の辺の両端に２本のロープを結びつけ、そのロープの他方の一端それぞれに棟に引っ掛け固定する鉤を取り付けて、２本のロープによって踏み板と引っ掛け鉤が連結される構成とする。
【実施例】
【００１３】  以下添付図面に従って実施例を説明する。図１に示すように、引っ掛け鉤Ｃを屋根の棟Ｉに噛ませて固定し、ロープＢを伸ばして、水平に踏みならした雪の上に踏み板Ａを置く。踏み板Ａは作業者の体重と２本のロープによって滑り落ちることなく、作業者は体のバランスを保って作業ができる。【００１４】  図２に示すように、２枚の踏み板Ａ１・Ａ２それぞれに片方づつ足をのせた体勢で体のバランスを保って作業ができる。【００１５】  図２に示すように、壁板Ｅ・支え板Ｆによって踏み板Ａはより安定する。【００１６】  図２に示すように、引っ掛け鉤Ｃを移動することによって、踏み板の場所を屋根上の左右両方向に移動することができ、又、カラビナａをロープＢの丸環ｂ又はｃ又はｄに結合することによって踏み板Ａを屋根の上部・下部両方向に自在に移動することが可能である。【００１７】  図２に示すように安全帯Ｈの引き綱Ｄに取りつけたカラナビｅを棟に引っ掛け固定したロープＢの丸環ｂ・ｃ・ｄに結合することで作業者の安全を確保することができる。【００１８】  ロープＢの替りに長さ調整が可能なトライグライト（登録商標）を用いることも可能である。
【符号の説明】
【００１９】  Ａ  踏み板
Ｂ  ロープ
Ｃ  引っ掛け鉤
Ｄ  安全帯引き綱
Ｅ  壁板
Ｆ  支え板
Ｇ  ストッパー
Ｈ  安全帯
Ｉ  棟
Ｊ  雪
ａ・ｅ  カラナビ
ｂ・ｃ・ｄ  丸環
【図１】
0003218243.tif 000003
【図２】
0003218243.tif 000004
【図３】
0003218243.tif 000005
【手続補正書】
【提出日】平成30年7月18日(2018.7.18)
【手続補正１】
【補正対象書類名】実用新案登録請求の範囲
【補正対象項目名】全文
【補正方法】変更
【補正の内容】
【実用新案登録請求の範囲】
【請求項１】
引っ掛け鉤（Ｃ）をそなえたロープ（Ｂ）によって、１枚又は複数枚の踏み板（Ａ）が棟（Ｉ）に連結される構成を特徴とする雪おろし用具
【請求項２】
前記踏み板（Ａ）の前記棟（Ｉ）側に雪面と反対方向の、上方垂直に壁板（Ｅ）を接合した請求項１記載の雪おろし用具
【請求項３】
前記踏み板（Ａ）の軒側に、前記踏み板（Ａ）の下部雪面側に支え板（Ｆ）を接合した請求項１または請求項２記載の雪おろし用具
【請求項４】
前記踏み板（Ａ）に取りつけた前記ロープ（Ｂ）の先端にカラビナ（ａ）を取り付けるとともに、前記引っ掛け鉤（Ｃ）を取りつけた前記ロープ（Ｂ）の中間に複数の丸環（ｂ・ｃ・ｄ）を取り付け、前記踏み板（Ａ）側のカラナビ（ａ）を前記ロープ（Ｂ）の丸環（ｂ・ｃ・ｄ）に接続することで前記踏み板（Ａ）の上下方向の調整を可能にした請求項１または請求項２または請求項３記載の雪おろし用具
【請求項５】
前記ロープ（Ｂ）に取りつけた丸環（ｂ・ｃ・ｄ）に、引き綱（Ｄ）に取りつけたカラナビ（ｅ）を接続することで、安全帯（Ｈ）がロープ（Ｂ）と連結する請求項１または請求項２または請求項３または請求項４記載の雪おろし用具
【請求項６】
前記踏み板（Ａ）の下部に前記ロープ（Ｂ）のストッパー（Ｇ）を取りつけて踏み板（Ａ）の位置調整を可能にした請求項１または請求項２または請求３記載の雪おろし用具
【請求項７】
前記ロープ（Ｂ）の替りに長さ調整が可能な結束ベルトを有する請求項１〜６までのいずれかの項記載の雪おろし用具
【請求項８】
棟（Ｉ）に引っ掛ける鉤（Ｃ）をそなえたロープ（Ｂ）にとりつけた丸環（ｂ・ｃ・ｄ）に、引き綱（Ｄ）の端にとりつけたカラナビ（ｅ）を結合することで、ロープ（Ｂ）と連結できるようにした安全帯（Ｈ）をそなえた雪おろし用具